(57)【要約】【課題】レーザ光の出力を調整するための抵抗値の調整を容易に行うことのできる光ヘッド装置、および、光ヘッド装置の製造方法を提案すること。【解決手段】光ヘッド装置１において、レーザ出力の調整を行うための抵抗回路１０は、レーザ光源の出力調整をするための可変抵抗器１１と、可変抵抗器１１に直列に接続された０Ωの固定抵抗１２とを備えている。可変抵抗器１１の調整範囲を超えて、抵抗回路１０の抵抗値を設定する場合は、可変抵抗器１１をそのままにして、固定抵抗１２の方を別の固定抵抗に付け替える。【選択図】      図２
2004342248.tif 000002
【特許請求の範囲】
【請求項１】
光記録媒体に向かって出射光を出射するレーザ光源と、前記光記録媒体によって反射した反射光を受光し、当該光記録媒体の記録情報を検出する信号検出用受光素子と、前記レーザ光源からのレーザ光の出力レベルを調整するための可変抵抗器を備えた出力調整回路とを有する光ヘッド装置において、
前記出力調整回路では、前記可変抵抗器に対して直列あるいは並列の固定抵抗が付け替え可能に実装されていることを特徴とする光ヘッド装置。
【請求項２】
請求項１において、前記固定抵抗は、前記可変抵抗器に直列に接続された０Ωの抵抗体であることを特徴とする光ヘッド装置。
【請求項３】
光記録媒体に向かって出射光を出射するレーザ光源と、前記光記録媒体によって反射した反射光を受光し、当該光記録媒体の記録情報を検出する信号検出用受光素子と、前記レーザ光源からのレーザ光の出力レベルを調整するための可変抵抗器を備えた出力調整回路とを有する光ヘッド装置の製造方法において、
前記出力調整回路には、予め前記可変抵抗器に対して直列あるいは並列に抵抗値が固定の固定抵抗を電気的に接続しておき、
前記可変抵抗器の抵抗調整範囲を超えて前記出力レベルを調整するときには、前記固定抵抗を別の抵抗値の固定抵抗に付け替えることを特徴とする光ヘッド装置の製造方法。
【請求項４】
請求項３において、前記出力調整回路で予め用いる前記固定抵抗として、抵抗値が０Ωの抵抗体を前記可変抵抗器に直列に電気的に接続しておくことを特徴とする光ヘッド装置の製造方法。
【発明の詳細な説明】
【０００１】
【発明の属する技術分野】
本発明は、ＣＤやＤＶＤなどの光記録ディスクの再生等に用いられる光ヘッド装置に関するものである。さらに詳しくは、光ヘッド装置において、光源から出射される出射光の出力調整に関するものである。
【０００２】
【従来の技術】
ＣＤやＤＶＤなどの光記録ディスクの再生等に用いられる光ヘッド装置では、光源からレーザ光を光記録媒体に向けて出射し、光記録媒体で反射したレーザ光を信号検出用受光素子で受光することにより、光記録媒体の情報再生等を行う。
【０００３】
光記録媒体の情報再生等を良好に行うには、光源から出射されるレーザ光の出力を常に一定の条件にして光記録媒体で反射した戻り光に含まれる信号の出力レベルを規定値とする。そこで、光ヘッド装置では、出力調整回路の可変抵抗器の抵抗値を調整して、レーザ光源からのレーザ光の出力レベルを調整する。その際、可変抵抗器については、装置フレーム上の調整可能な位置に取り付けられる（例えば、特許文献１参照）。
【０００４】
ここで、レーザ光の出力を一定にするには、レーザ光源から出射した光をモニターし、このモニター結果をレーザ光源にフィードバックする方法が一般的であるが、モニター用受光素子やレーザ光源の特性によっては、可変抵抗器の最大抵抗値以上の抵抗値が必要となる場合がある。このような場合は、従来、可変抵抗器を、さらに定格の大きな可変抵抗器に付け替える。例えば、最大抵抗値が４．７ｋΩの可変抵抗器で調整しきれない場合は、最大抵抗値が６．８ｋΩの可変抵抗器に付け替えてレーザ出力の調整を行っている。
【０００５】
【特許文献１】
特開２０００−２０７７６２号公報
【０００６】
【発明が解決しようとする課題】
しかしながら、従来のように、予め実装した可変抵抗器でレーザ出力を調整しきれない場合に別の可変抵抗器に付け替える方法では、それまで取り付けられていた可変抵抗器については、信頼性の面から再利用できないので、高価であるにもかかわらず破棄せざるを得ず、部品コストが余計にかかるという問題点がある。かといって、最初から最大抵抗値が大きい可変抵抗器を搭載しておくと、小刻みな調整が困難になるという問題点がある。すなわち、最大抵抗値が３３００Ωの可変抵抗器であれば、つまみを全体の１／３回転させたときの抵抗変化は１１００Ωであるが、最大抵抗値が４７００Ωの可変抵抗器であれば、つまみを全体の１／３回転させたときの抵抗変化は１５６７Ωであり、最大抵抗値が６８００Ωの可変抵抗器であれば、つまみを全体の１／３回転させたときの抵抗変化は２２６７Ωになってしまう。従って、予め実装しておく可変抵抗器としては、できるだけ最大抵抗値が小さな可変抵抗器が好ましく、この可変抵抗器で対応できない時にだけ、最大抵抗値が大きな可変抵抗器に付け替える方法を採用せざるを得ないのである。
【０００７】
また、可変抵抗器は、固定抵抗と比べるとサイズが大きく、搭載場所も限定されるので、抵抗値の調整（つまみ調整）が可能であっても、交換が困難な位置に配置される場合もある。例えば、図５に示すように、可変抵抗器１０１が基板１０２に搭載され、基板１０２が光ヘッド装置の装置フレーム１０３に取り付られたとき、可変抵抗器１０１が装置フレーム１０３に形成された開口部１０４の底側に配置されることがある。この場合、開口部１０４からドライバを差し込めば可変抵抗器１０１のつまみ１０１ａを回転させて抵抗値の調整を行うことができるが、開口部１０４から可変抵抗器１０１を交換することは困難である。このような場合は、一旦、基板１０２を装置フレーム１０３から取り外して、可変抵抗器１０１を取り替えるため、かなりの手間がかかるという問題点がある。
【０００８】
以上の問題点に鑑みて、本発明の課題は、レーザ光の出力を調整するための抵抗値の調整を容易に行うことのできる光ヘッド装置、および、光ヘッド装置の製造方法を提案することにある。
【０００９】
【課題を解決するための手段】
上記の課題を解決するため、本発明では、光記録媒体に向かって出射光を出射するレーザ光源と、前記光記録媒体によって反射した反射光を受光し、当該光記録媒体の記録情報を検出する信号検出用受光素子と、前記レーザ光源からのレーザ光の出力レベルを調整するための可変抵抗器を備えた出力調整回路とを有する光ヘッド装置において、前記出力調整回路では、前記可変抵抗器に対して直列あるいは並列の固定抵抗が付け替え可能に実装されていることを特徴とする。
【００１０】
本発明では、光記録媒体に向かって出射光を出射するレーザ光源と、前記光記録媒体によって反射した反射光を受光し、当該光記録媒体の記録情報を検出する信号検出用受光素子と、前記レーザ光源からのレーザ光の出力レベルを調整するための可変抵抗器を備えた出力調整回路とを有する光ヘッド装置の製造方法において、前記出力調整回路には、予め前記可変抵抗器に対して直列あるいは並列に抵抗値が固定の固定抵抗を電気的に接続しておき、前記可変抵抗器の抵抗調整範囲を超えて前記出力レベルを調整するときには、前記固定抵抗を別の抵抗値の固定抵抗に付け替えることを特徴とする。
【００１１】
本発明では、可変抵抗器を調整してレーザ光源からのレーザ光の出力レベルを調整するが、可変抵抗器で調整可能な範囲を超えた場合には、可変抵抗器については付け替えず、予め実装しておいた固定抵抗の方を付け替えた後、可変抵抗器で再度、調整する。従って、付け替えた固定抵抗を破棄する場合でも、固定抵抗は、可変抵抗器と比較すれば安価であるため、製造コストを低減することができる。また、可変抵抗器については、最大抵抗値が大きなものに付け替えないで済むので、つまみを回しての小刻みな抵抗値調整を容易に行うことができる。また、固定抵抗は、可変抵抗器と比べるとサイズが小さいので、付け替え可能な位置に配置するのも容易である。
【００１２】
本発明において、前記出力調整回路で予め用いる前記固定抵抗として、抵抗値が０Ωの抵抗体を前記可変抵抗器に直列に電気的に接続しておくことが好ましい。０Ωの抵抗体であれば、例えば、０Ωの抵抗素子に限らず、リード線等の安価な部材を利用することができる。
【００１３】
【発明の実施の形態】
以下に、図面を参照して、本発明を適用した光ヘッド装置の一例を説明する。
【００１４】
（全体構成）
図１は、本例の光ヘッド装置の光学系を中心に示す概略構成図である。この図に示すように、光ヘッド装置１は、ＣＤあるいはＤＶＤなどの光記録ディスク５（光記録媒体）に対する情報記録、情報再生を行うものであり、レーザ光源２からの出射されたレーザ光が、ハーフミラー３で反射した後、コリメートレンズ６で平行光化され、しかる後に、対物レンズ４で集光されて光記録ディスク５の情報記録面に焦点を結ぶように構成されている。対物レンズ４は、対物レンズ駆動機構４０によってトラッキング方向およびフォーカシング方向の位置がサーボ制御される。
【００１５】
光記録ディスク５で反射した戻り光は、対物レンズ４、コリメートレンズ６、およびハーフミラー３を通過して信号検出用受光素子７に入射する。駆動制御装置１００は、信号検出用受光素子７での受光量に基づき、情報再生処理を行なうと共に、対物レンズ駆動機構４０を駆動制御して対物レンズ４のトラッキング方向およびフォーカシング方向の位置をサーボ制御する。また、駆動制御装置１００は、レーザ光源２の駆動制御も行なう。
【００１６】
（レーザ光源２の駆動制御）
駆動制御装置１００でのレーザ光源２の駆動制御は、レーザ光源２から出射されたレーザ光をモニター用受光素子８でモニターし、そのモニター結果に基づいて、出射されるレーザ光の強度を制御することにより行われる。このため、駆動制御装置１００は、レーザ出力調整回路として、モニター用受光素子８のモニター結果に基づいてレーザ光源２からのレーザ光の強度を制御する自動レーザ出力制御回路９（ＡＵＴＯＭＡＴＩＣ  ＬＡＳＥＲ  ＰＯＷＥＲ  ＣＯＮＴＯＲＯＬＣＩＲＣＵＩＴ／以下、ＡＬＰＣ回路という）を備えている。
【００１７】
（自動レーザ制御装置の構成）
図２は、レーザ光源２から出射されるレーザ光をモニターし、そのモニター結果に基づいて、レーザ光源２の出力制御を行うＡＬＰＣ回路９の構成などを示す説明図である。図３は、光ヘッド装置１における可変抵抗器１１および固定抵抗１２の配置状態を模式的に示す側面図である。
【００１８】
図２に示すように、自動レーザ出力制御回路９は、制御回路９０と、可変抵抗器１１を備えた抵抗回路１０とを有している。
【００１９】
制御回路９０には、レーザ光源２に駆動電流を供給する端子９７、共通電位を供給する端子９５、モニター用受光素子８の出力電流が可変抵抗器１１、抵抗１２、９３を流れた時に生じる電圧を比較器９６に接続する端子９１、およびモニター用受光素子８の出力電流を可変抵抗器１１、抵抗１２、９３を介してグランド電位ＧＮＤに流す端子９２が構成されており、これらの端子９１、９２、９５、９７を介して各種電流、電圧の出力や信号入力が行われる。制御回路９０には、各素子の説明は省略するが、基準電圧Ｖｒｅｆと、端子９１を介して入力するモニター用受光素子８でのモニター結果を比較する比較器９６、この比較器９６からの出力に基づいて、端子９７からレーザ光源２に供給される駆動電流を制御するトランジスタ９８、保護抵抗９３、可変抵抗器９４などが構成されている。
【００２０】
一方、抵抗回路１０は、モニター用受光素子８からの出力信号レベルを制御回路９０での信号レベルと整合させるための回路であり、この抵抗回路１０の抵抗値を変えると、比較器９６への入力電圧が変化する結果、レーザ光源２に供給される駆動電流も変動する。例えば、抵抗回路１０の抵抗値を小さくすると、レーザ光源２に供給される駆動電流レベルが高くなって、レーザ光の出力レベルがアップする。これに対して、抵抗回路１０の抵抗値を大きくすると、レーザ光源２に供給される駆動電流レベルが低くなって、レーザ光の出力レベルがダウンする。
【００２１】
光ヘッド装置１において、抵抗回路１０の抵抗値の調整は、光ヘッド装置１を組み立てた後、抵抗回路１０に用いた可変抵抗器１１のつまみを回して調整する。このため、光ヘッド装置１を組み立てた後、可変抵抗器１１のつまみを調整可能なように、抵抗回路１０は、光ヘッド装置１の装置フレームのうち、外部から操作可能な位置に配置される。
【００２２】
例えば、図３に模式的に示すように、可変抵抗器１１が実装されたフレキシブル基板１４は、可変抵抗器１１が光ヘッド装置１の側面に位置するように装置フレーム１３に搭載される。また、フレキシブル基板１４には、制御回路９０の可変抵抗器９４（図２を参照）やコネクタ９９も実装され、さらには、スリット１３１から引き出された他のフレキシブル基板１５が電気的に接続されている。
【００２３】
本形態では、図２および図３に示すように、抵抗回路１０は、可変抵抗器１１と、この可変抵抗器１１に対して、抵抗値が０Ωの固定抵抗１２が直接に接続されており、本形態では、抵抗回路１０の全抵抗値は、可変抵抗器１１の抵抗値と、固定抵抗１２の抵抗値との合成抵抗になっている。
【００２４】
このように構成した抵抗回路１０では、光ヘッド装置１を組み立てた後、レーザ光源２からのレーザ出力が所定のレベルとなるように、可変抵抗器１１のつまみ１１０を回して可変抵抗器１１の抵抗値を変化させ、抵抗回路１０の全抵抗値を調整する。
【００２５】
その際、可変抵抗器１１の抵抗調整範囲を超えて、抵抗回路１０の合成抵抗値を大きく設定しないとレーザ光源２から出力レベルを調整できないときは、可変抵抗器１１については付け替えずに、固定抵抗１２を別の抵抗値の固定抵抗に付け替える。その結果、例えば、可変抵抗器１１の最大抵抗値が３３００Ωで、もとより実装されていた固定抵抗１２の抵抗値が０Ωの場合、抵抗回路１０の合成抵抗値の調整可能な範囲は０Ω〜３３００Ωであったが、０Ωの固定抵抗１２を４７０Ωの固定抵抗１２に付け替えると、抵抗回路１０の合成抵抗値の調整可能な範囲は４７０Ω〜３７７０Ωとなる。それ故、抵抗回路１０の合成抵抗値を目標値に調整することができる。
【００２６】
（本形態の効果）
このように、本形態では、可変抵抗器１１で調整可能な範囲を超えた場合でも、可変抵抗器１１を付け替えず、固定抵抗１２の方を付け替えるので、安価な固定抵抗１２を廃棄することがあっても、高価な可変抵抗器１１を廃棄する必要がない。それ故、本形態によれば、製造コストを低減することができる。
【００２７】
また、可変抵抗器１１については最大抵抗値が大きなものに付け替えないで済むので、つまみ１１０を回しての小刻みな抵抗値設定を容易に行うことができる。すなわち、最大抵抗値が３３００Ωの可変抵抗器１１であれば、つまみ１１０を全回転角度の１／３回転させたときの抵抗変化は１１００Ωと小さいが、最大抵抗値が４７００Ωあるいは６８００Ωと大きくなっていくと、つまみを同じく全回転角度の１／３回転させたときでも、その抵抗変化は１５６７Ω、２２６７Ωと大きくなってしまい、小刻みな調整が難しくなる。しかるに本形態では、可変抵抗器１１については最大抵抗値が大きなものに付け替える必要がないので、小刻みな調整を容易に行うことができる。
【００２８】
また、本形態では、固定抵抗１２および可変抵抗器１１の双方を装置フレーム１３の側面で露出した状態にレイアウトしたが、固定抵抗１２は、可変抵抗器１１と比べるとサイズが小さいので、固定抵抗１２のみを付け替え可能な位置に配置したレイアウトを採用することもできる。
【００２９】
さらに、本形態では、予め用いる固定抵抗１２として、抵抗値が０Ωの抵抗体を用いたため、固定抵抗１２として、０Ωの抵抗素子に限らず、リード線等の安価な部材を利用することもできる。
【００３０】
（その他の実施の形態）
上記の実施の形態では、可変抵抗器１１と固定抵抗１２を直列に接続しているが、図４に示すように、可変抵抗器１１に対して固定抵抗１２を並列に接続してもよい。このように構成した場合も、可変抵抗器１１の抵抗値を変化させることにより、抵抗回路１０の合成抵抗値を調整してレーザ光の出力調整をすることができる。すなわち、レーザ光の出力を大きくしたいときは、抵抗回路１０の合成抵抗値を小さくし、出力を小さくしたいときは、抵抗回路１０の合成抵抗値を大きくすればよい。また、可変抵抗器１１で調整可能な範囲を超えた場合でも、可変抵抗器１１を付け替えず、固定抵抗１２の方を付け替えれば、抵抗回路１０の最大抵抗値を大きくすることができる。
【００３１】
例えば、可変抵抗器１１の最大抵抗値が４７００Ωで、もとより実装されていた固定抵抗１２の抵抗値が１１０００Ωの場合、合成抵抗値の最大値は３２９３Ωであり、可変抵抗器１１のつまみ１１０を全回転角度の１／３回転させたときの可変抵抗器１１の抵抗変化は１５６７Ωとなり、合成抵抗の変化は１３７１Ωとなる。そして、可変抵抗器１１をそのままにして、固定抵抗１２を抵抗値が２００００Ωのものに交換すると、合成抵抗値の最大値は３８０６Ωまで大きくすることができる。この場合も、可変抵抗器１１は同じなので、つまみ１１０を全回転角度の１／３回転させたときの抵抗変化は１５６７Ωのままで変わらず、抵抗回路１０の合成抵抗の変化量は１４５３Ωであり、固定抵抗１２を付け替える前と同等である。それ故、小刻みな調整を容易に行うことができる。
【００３２】
【発明の効果】
以上説明したように、本発明の光ヘッド装置では、可変抵抗器を調整してレーザ光源からのレーザ光の出力レベルを調整するが、可変抵抗器で調整可能な範囲を超えた場合には、可変抵抗器については付け替えず、予め実装しておいた固定抵抗を付け替えた後、可変抵抗器で再度、調整する。従って、付け替えた固定抵抗を破棄する場合でも、固定抵抗は、可変抵抗器と比較すれば安価であるため、製造コストを低減することができる。また、可変抵抗器については最大抵抗値が小さなものを用いた場合でも、最大抵抗値が大きなものに付け替えないで済むので、つまみを回しての小刻みな抵抗値調整を容易に行うことができる。また、固定抵抗は、可変抵抗器と比べるとサイズが小さいので、固定抵抗であれば付け替え可能な位置に配置するのも容易である。
【図面の簡単な説明】
【図１】本発明を適用した光ヘッド装置の光学系を中心に示す概略構成図である。
【図２】図１に示す光ヘッド装置において、レーザ光源から出射されるレーザ光のモニター結果に基づいて、レーザ光源の出力制御を行うＡＬＰＣ回路の構成を示す説明図である。
【図３】図１に示す光ヘッド装置に用いた可変抵抗器および固定抵抗の配置状態を示す側面図である。
【図４】図１に示す光ヘッド装置において、可変抵抗器と固定抵抗とを並列に接続した抵抗回路の説明図である。
【図５】光ヘッド装置におけるレーザ光源の出力を調整するための可変抵抗器の配置状態の一例を示す説明図である。
【符号の説明】
１  光ヘッド装置
２  レーザ光源
３  ハーフミラー
４  対物レンズ
５  光記録ディスク（光記録媒体）
７  信号検出用受光素子
８  モニター用受光素子
９  ＡＬＰＣ回路
１０  抵抗回路
１１  可変抵抗器
１２  固定抵抗
１３  装置フレーム
１４  フレキシブル基板
９０  制御回路
１００  駆動制御装置
１１０  可変抵抗器のつまみ
【図１】
2004342248.tif 000003
【図２】
2004342248.tif 000004
【図３】
2004342248.tif 000005
【図４】
2004342248.tif 000006
【図５】
2004342248.tif 000007